(57)【要約】【課題】組み立てと分解が容易で水張り時の確実な保持力可能な装着脱方法と、かつ、部品構成の少ない簡易組み立て水槽の提供を課題とする。【解決手段】角型外枠３の上部枠３Ａ各辺上に中央部開脚型の冠型のホルダー９、１０を配置して、防水シート製水槽袋２の胴部を延長して各辺上部にヒレ部４を設けて端部に可撓性心材６を内包した係止枠７を上部枠３Ａ外部に折り返し装着し、この上面と側面を各辺の前記ホルダーを半回転して重合して装着完了し、水槽袋２を外枠３に保持させる。【選択図】  図１
2004149211.tif 000002
【特許請求の範囲】
【請求項１】
上下部開放の角型柵型枠体（以下外枠と言う）、及び、該内部に装着される防水シート製水槽袋からなる組み立て水槽に於いて、前記外枠の上部枠上に、該各辺の長さ方向に二分されて両端部、又は、中央部に固定回転機構が設けられ、且つ、断面形状冠型のホルダーを配置して形成し、前記水槽袋を、該胴部シートを上方に延長して縁部周方向に可撓性棒状係止枠を設けて前記上部枠外部に折り返し装着可能に設け、該開口部に前記ホルダーを重合して前記水槽袋を保持可能に、且つ、装着脱可能に構成された組み立て水槽。
【請求項２】
前記外枠の上部枠に折り返し装着された前記棒状係止枠付き水槽袋開口部重合用の各辺ホルダーを、分割、又は、全長単体の嵌め込み式に構成された請求項１記載の組み立て水槽。
【請求項３】
前記水槽袋上部の延長形成されたシート縁部周方向に管状部を設けてロープを挿通し、且つ、該管状部下部定間隔に複数の係止孔を設けて前記外枠上部枠外部に折り返し可能に形成し、且つ、該係止孔を前記上部枠下面に設けられた複数の係止棒に係止して装着し、且つ、前記ロープを前記外枠の柵外面を経て周方向に緊締可能に構成された請求項１記載の組み立て水槽。
【請求項４】
前記水槽袋上部シートを外部に折り返して前記外枠上部枠に嵌合可能なポケットを開口部周状に設けたことを特徴とし、且つ、該ポケット内の対面するシート所定位置の周方向に接合部材を配置して前記外枠の柵間隙部で接合して前記水槽袋胴部を固定可能に構成された請求項１記載の組み立て水槽。
【発明の詳細な説明】
【０００１】
【発明の属する技術分野】
簡易組み立て水槽の、外枠と防水シート製水槽袋の組み立て方法に関する。
【０００２】
【従来の技術】
従来、組み立て水槽の外枠と水槽袋の組み立て方法としては、特願平６−３２０６９５等に見られる如く、外枠の上部枠に本体の胴部シートの縁部に複数の係止孔を設けてロープをループ状に通しながら上部枠に巻き付けて固定していたが、この場合には、組み立て、分解に大変手間を要し、或いは、水槽袋の縁部に管状部を設て内部にパイプ等を挿入して縁部際に設けられた係止孔を外枠内側上部に設けられたフックに係止する方法の場合には、係止孔とフックの位置が合わず、かつ、フックが外力によって変形する問題があり、又、鳩目にロープを挿通してフックに係止する場合にはフック間のシートが垂れ下がって保持力が弱く、かつ、外観的にも優れなかった。
【０００３】
【発明が解決しようとする課題】
消防訓練や災害復旧、簡易プール等の組み立て水槽設置の際、主に鋼製の所定容量形成の外枠内に装着する防水シート製水槽袋の取り付けに関し、現場で組み立てられた外枠に、別途成型された水槽袋の装着と分解の作業が容易に出来、且つ、水張り時の水槽袋を確実に保持可能な装着脱方法と、部品点数の少ない組み立て水槽の提供を課題としている。
【０００４】
【課題を解決するための手段】
本発明の組み立て水槽の、外枠内に防水シート製水槽袋を装着する方法は、消防訓練や災害復旧、或いは、臨時プール等の簡易組み立て水槽設置の際の前記の如き課題を解決するため、主に鋼製の所定容量の上下部、又は、上部開放角型の組み立て式外枠を、この上部枠の各辺上に、各辺をほぼ中央で２分して両端にヒンジピン等を用いた固定回転機構を設けて上部方向にスゥイング可能な開脚型の、かつ、断面形状が冠型のホルダーを設けて形成し、かつ、装着する水槽袋の胴部を外枠の上部枠より所定長に設けて各コーナー部にスリット部を設けてヒレ部を形成し、かつ、ヒレ部上部縁部に可撓性心材を巻き込んで内包した、又は、縁部を丸める等の棒状の可撓性係止枠を設けて前記上部枠外部に折り返し装着して開口部を形成し、この開口部に前記ホルダーを下方にスゥイングさせながら重合して上部枠部への水槽袋の固定を図っている。従って、本発明は現場で、外枠組み立て後、前記の如く冠型ホルダーのそれぞれを上下半回転することによって水槽袋の装着が完了する為極めてスピーディに、且つ、確実な作業が可能で、かつ、折り返し部周囲端部に係止枠が設けられている為、内部に水張りされた時のシート端部の脱落を確実に防止することが出来、かつ、分解の時もホルダーを持ち上げるだけで容易に取り外し作業が出来る優れた装着脱方法であり、且つ、係止枠に可撓性素材が用いられているため折り畳みと収納が極めてコンパクトに出来る様構成されている。又、この場合、前記ホルダーの固定回転機構部を前記上部枠各辺の中央部に設けてノックピン等を用いて取り外し可能とし、水槽袋の胴部ヒレ部所定位置にくり抜き穴を設けて上部枠に装着することも出来る。
【０００５】
又、本発明は、前記水槽袋の装着脱方法を、外枠の上部枠の各辺に折り返し装着された前記棒状係止枠付き水槽袋の開口部に断面形状が冠型のホルダーを各辺を複数に分割、又は、全長を単体に形成して嵌め込み式に設けて重合し、且つ、取り外し可能に形成することも出来る。特に、この分割式ホルダーは大型、若しくは、長方形の水槽の長辺枠部に適しており、先ず、中央部をホルダーで固定しておき、次に両サイドを順次重合することが出来るため一人作業が可能となるメリットがある。或いはこれを、中央部に分割式ホルダーを用い、両サイドに前記開脚型のホルダーを組み合わせて配置して形成することも出来る。
【０００６】
又、本発明は、前記水槽袋の装着脱方法を、水槽袋を外枠上部枠より延長形成してこの縁部周方向に管状部を設けてロープを挿通し、かつ、この管状部下部に複数の係止孔を設け、コーナー部にスリット部を設けて前記上部枠外部に折り返し装着し、一方、外枠上部枠下面の各柵中間部に複数の係止棒を配置して前記係止孔を挿通してロープを係止し、外枠の柵外面で伸張して外部コーナー部でロープを緊締して水槽袋の装着と分解可能に形成することも出来る。この場合、ローブが水槽袋縁部に内蔵された状態で上部枠全長で巻き付けられて外部で係止されているため、水槽袋内部に水張りされた時でもシート端部や胴部に部分的弛みを生ずることなく引っ張り荷重を周方向のシートで均一に保持することが出来、かつ、係止孔を大きく設けることが出来るため穴あけ加工を容易に行うことが出来る。尚、この場合、係止孔部のロープが露出しても差し支えない。
【０００７】
又、本発明は、前記水槽袋の装着脱方法を、水槽袋の開口部シートを外部に折り返して前記上部枠に嵌合可能な所定深さのポケットを開口部周状に連続して設け、このポケット内部シートの対面所定位置に面状ファスナー、又は、フック等の接合部材を配置し、このポケット部を上部枠に嵌合装着して外枠の柵間隙部で接合して胴部を固定して水槽袋を保持することが出来る。従って、本発明はこのように形成されているため外枠の上部枠外に本体上部に成型加工されたポケットを挿入してシート同士を接合するだけの作業で装着することが出来、かつ、シートの折り返しコーナー部にスリット等が無いため十分な引っ張り荷重に耐えることが出来る様形成されている。
【０００８】
【発明の実施の形態】
本発明による消防訓練、又は、災害復旧、或いは、臨時プール等の簡易組み立て水槽１設置の際、防水シート製水槽袋２と外枠３の装着方法を図面で説明すると、図１、及び、図２に示す通り、主に鋼製の、所定容量の上下開放型の組み立て式角型外枠３内に樹脂、又は、ゴム等の補強入りシート製水槽袋２を装着してこの胴部を上方向に延長して各コーナー部にスリット４を設けてヒレ部５を形成し、かつ、ヒレ部５の各縁部周方向に可撓性心材６を内包して係止枠７を設け、一方、外枠３の上部枠３Ａ上には、この各辺をほぼ中央で２分して断面形状が冠型の、かつ、両端がヒンジピン８等を用いて固定回転機構の設けられた上方に半回転のスゥイング可能な中央部開脚型のホルダー９、１０を配置し、この中央部を上方に持ち上げておいて、ヒレ部５を上部枠３Ａの各辺に折り返し装着した開口部上部から冠型のホルダー９、１０を下方に半回転させて上部枠３Ａの上面、及び、側面に重合して水槽袋２開口部の固定を図って組み立て水槽１を形成している。従って、本発明は前記の如く、外枠３の上部枠３Ａ各辺に水槽袋２の上部ヒレ部５を折り返し装着された開口部上方からホルダー９、１０を上下半回転するだけで現場での極めてスピーディーな装着脱作業が期待出来、かつ、内部に水張りされた時のシート縁部の脱落を係止枠７によって確実に防止可能な大変優れた装着方法である。又、水槽袋２の使用後の収納は、係止枠７に内包されている心材６が可撓性素材の為折り畳みを容易に、かつ、極めてコンパクト化可能に形成されている。尚、前記水槽袋２は、図示していないが、上部ヒレ部５縁部を丸めて加工し、又は、樹脂パイプ、又は、ホース等を挿入して係止枠７を設けることも出来る。又、もとより前記外枠を底部付きに、或いは、樹脂等の板張りの箱として設けることも出来る。尚、水槽１上部には給水ホース用保持具２７が着脱可能に常備されている。
【０００９】
又、本実施態様は、図４の如く、２分されたホルダー１１、１２を上部枠３Ａ各辺の中央部に回転機構部を設けて両端スゥィング方式として、かつ、これをスプリング入りのノックピン等を用いて取り外し可能に形成し、水槽袋２の胴部ヒレ部５中央部にくり抜き穴１３を設けて上部枠３Ａに装着し、前記同様ホルダー１１、１２を上下して水槽袋２を装着脱することも出来る。又、前記２分割式ホルダーを、前記要領で、片端に回転機構を設けた一本ものに形成することも出来る。
【００１０】
或いは、前記組み立て水槽１の水槽袋２と外枠３の装着脱方法は第２の実施態様として図５の如き断面形状が冠型のホルダー１４、１５、１６を複数に分割形成して、外枠３内に装着されて棒状係止枠７付き水槽袋２が上部枠３Ａの各辺に折り返し装着された開口部上部から嵌め込んで重合し、且つ、取り外し可能に設けることも出来る。特に、この分割式ホルダー１４、１５、１６は大型水槽、若しくは、長方形の水槽の長辺枠部に適しており、先ず、中央部ホルダー１５で固定した後、両サイドのホルダー１４、１６を順次重合することが出来、或いは、これを、中央部に分割式ホルダー１５を用い、両サイドに前記開脚型のホルダー９、１０を組み合わせ配置して水槽袋２の装着脱を一人作業可能に形成することも出来る。尚、前記ホルダーを辺全長の単体とすることも出来る。
【００１１】
又、前記組み立て水槽の装着方法は、第３の実施態様として図６、７の如く、水槽袋１７を胴部を延長して各コーナー部にスリット４を設けてヒレ部５を形成し、かつ、ヒレ部５縁部周方向に管状部１８を設けてロープ１９を挿通して下部に定間隔の係止孔１７ａを設け、このヒレ部５を上部枠３Ａに折り返し装着して図８の如く、係止孔１６ａを上部枠３Ａの下面定間隔に配置された係止棒２０に挿通して係止し、ロープ１９を外枠３の柵３Ａ外面で張りを加えながらコーナー部の２ヵ所、又は、４ヵ所で緊締して水槽袋２を外枠３内に保持して装着脱可能な組み立て水槽１を形成することも出来る。この場合、水槽袋１７のヒレ部５が外枠３の上部枠３Ａ全長で巻き付けられて折り返され、かつ、ロープ１９が周状にシートで内包された状態で外部複数個所で係止棒２０に係止されるため本体内部に水張りされた時でも上部枠３Ａ周方向全体で均一に張力を保持することが出来る。かつ、係止棒２０が上部枠３Ａ下面の厚み巾内に設けられている為、外部圧力によって変形、又は、破損の心配を不要としている。尚、この場合、前記係止孔１７ａ部のロープ１９が露出しても差し支えない。
【００１２】
又、前記組み立て水槽１の装着方法は、第４の実施態様として図９、１０の如く、水槽袋２１上部縁部を外部に折り返して上部枠３Ａに嵌合可能なポケット２２を周状に連続して設けたことを特徴とし、このポケット２２内部の水槽袋２１の胴部と対面する位置に面ファスナー等の接合部材２３Ａ、２３Ｂを配置して形成し、このポケット２２を上部枠３Ａに嵌合挿入して柵３Ｂの間隙部で接合部材２３Ａ、２３Ｂを圧着することにより胴部を固定し、外枠３内に水槽袋２１を装着して組み立て水槽１を形成し、かつ、分解可能に構成することも出来る。従って、本実施態様はこのように構成され、ポケット２２が各コーナー部にスリット無しの周囲一体に設けられているため水槽袋２１内に水張りされた時も十分な引っ張り荷重に耐えることが出来る様形成されている。尚、図示していないが前記接合部材にフック等を用いることも出来ると同時に、大型水槽の場合には、前記接合部材と併用して、外枠３の各柵３Ｂの所定高さに係止手段を設けてポケット２２の外端部を係止することも可能である。
【発明の効果】
上記の如く構成された本発明による簡易組み立て水槽の防水シート製水槽袋と外枠の装着方法は、所定容量の組み立て式に設けられた外枠の上部枠に水槽袋胴部の上部ヒレ部を折り返し装着して上部から中央部開脚型のスゥィング式ホルダーを用いて、又は、外枠外部でロープ緊締式、又は、ポケット式に設けて面状ファスナー等によって装着可能に形成されている為以下の如き効果が期待出来る。
▲１▼水槽袋の上部ヒレ部を周辺上部枠に折り返し装着して各辺ほぼワンタッチ式で装着が可能となり現場での組み立て時の手間を大幅に縮小出来る。
▲２▼取り外しも同様に極めて容易に出来る。
▲３▼縁部の係止枠が可撓性心材の初期内包式となっている為、組み立て作業が容易に出来、かつ、折り畳みも容易で、収納がコンパクトに出来る。
▲４▼水張り時の引っ張り荷重に対して端部が脱落する心配が全くない。
▲５▼部品構成を少なく出来る。
▲６▼装着用の鳩目加工等を不要として作業性を向上させ、又は、ロープ締めの場合でも係止孔をルーズに設けることが出来るため水槽袋の加工が大変楽である。
【図面の簡単な説明】
【図１】本発明の開脚型ホルダー式組み立て水槽の斜視全体図。
【図２】同上水槽袋の正面図で片側はヒレ部折り返し状の断面図。
【図３】同上ホルダーが上部枠に嵌合している様子と、端部固定回転機構の様子を示す部分拡大図。
【図４】前記ホルダーを上部枠中央部で固定回転式とした一部切欠した部分拡大図。
【図５】実施態様２の分割形成したホルダーを示す斜視図。
【図６】実施態様３の外枠外部ローブ締め式の組み立て水槽の全体斜視図。
【図７】同上水槽袋の正面上部部分図。
【図８】同上ローブがヒレ部縁部に内包されて上部枠下面係止棒に係止された様子を示す部分断面図。
【図９】実施態様４のポケット付き水槽袋の正面図で、片側は同ポケット部を断面で示し、かつ、接合部材の設けられた様子を示す。
【図１０】同ポケット付き水槽袋が外枠に装着された様子を示す斜視部分図。
【符号の説明】
１；組み立て水槽                      ２；防水シート製係止枠付き水槽袋
３；外枠                            ３Ａ；同上部枠
３Ｂ；同柵                            ４；スリット
５；ヒレ部                            ６；心材
７；可撓性係止枠                      ８；ヒンジピン
９、１０；開脚式ホルダー      １１、１２；両端スゥィング式ホルダー
１３；くり抜き穴              １４、１５、１６；分割式ホルーダー
１７；ロープ締め式水槽袋          １７ａ；係止孔
１８；管状部                        １９；ロープ
２０；外枠係止棒                    ２１；ポケット式水槽袋
２２；ポケット            ２３Ａ、２３Ｂ；接合部材
２４；排水ホース                    ２５；同固定バンド
２６；本体固定バンド                ２７；給水ホース保持具
Ａ；シート接合部
【図１】
2004149211.tif 000003
【図２】
2004149211.tif 000004
【図３】
2004149211.tif 000005
【図４】
2004149211.tif 000006
【図５】
2004149211.tif 000007
【図６】
2004149211.tif 000008
【図７】
2004149211.tif 000009
【図８】
2004149211.tif 000010
【図９】
2004149211.tif 000011
【図１０】
2004149211.tif 000012